(57)【要約】  【課題】カード発行機で複数の種類のカードを発行できるようにする。  【解決手段】カードの発行を依頼する顧客は、予め銀行などでカードの発行を申し込み、顧客を特定する顧客ＩＤを通知される。銀行５のホスト６には、顧客ＩＤと共にカード発行の審査結果が登録されている。顧客によってカード発行機３の操作部から入力された顧客ＩＤは、ホスト６に送信される。その顧客ＩＤにかかる審査が合格しているときは、ホスト６はカード記録データと共にカードの種類に応じた印刷用画像データを返信する。カード発行機３は、カラーイメージプリンタなどによって印刷用画像データを無地カードの表面に印刷し、磁気ヘッドによってカード記録データを磁気ストライプに記録し、カードを発行する。【選択図】  図１
2005251049.tif 000002
【特許請求の範囲】
【請求項１】
顧客識別情報を入力する入力手段と、
カード発行機関の上位装置に対して、前記入力された顧客識別情報を送信すると共に、前記顧客識別情報に対するカード発行可否の通知、発行カード種別およびカード記録データを受信する送受信手段と、
無地カードを保管するカード保管部と、
前記無地カードの表面に画像を印刷する印刷手段と、
前記無地カードの記録部にデータを記録する記録手段と、
前記送受信手段が前記上位装置からカード発行許可を示す通知を受信した場合には、前記カード保管部から前記無地カードを取り出し、前記印刷手段に前記発行カード種別に対応する画像データを当該無地カードの表面に印刷させ、前記記録手段に前記カード記録データを当該無地カードの記録部に記録させ、印刷および記録がされた当該無地カードを発行する発行手段と、を備えたことを特徴とするカード発行機。
【請求項２】
顧客識別情報を入力する入力手段と、
カード発行機関の上位装置に対して、前記入力された顧客識別情報を送信すると共に、前記顧客識別情報に対するカード発行可否の通知、発行可能カード種別およびカード記録データを受信する送受信手段と、
無地カードを保管するカード保管部と、
前記無地カードの表面に画像を印刷する印刷手段と、
前記無地カードの記録部にデータを記録する記録手段と、
前記発行可能カード種別の内から発行カード種別を選択する選択手段と、
前記送受信手段が前記上位装置からカード発行許可を示す通知を受信した場合には、前記カード保管部から前記無地カードを取り出し、前記印刷手段に前記選択された発行カード種別に対応する画像データを当該無地カードの表面に印刷させ、前記記録手段に前記カード記録データを当該無地カードの記録部に記録させ、印刷および記録がされた当該無地カードを発行する発行手段と、を備えたことを特徴とするカード発行機。
【請求項３】
顧客識別情報およびカード発行機関特定情報を入力する入力手段と、
前記カード発行機関特定情報で特定されたカード発行機関の上位装置に対して、前記入力された顧客識別情報を送信すると共に、前記顧客識別情報に対するカード発行可否の通知およびカード記録データを受信する送受信手段と、
無地カードを保管するカード保管部と、
前記無地カードの表面に画像を印刷する印刷手段と、
前記無地カードの記録部にデータを記録する記録手段と、
前記送受信手段が前記上位装置からカード発行許可を示す通知を受信した場合には、前記カード保管部から前記無地カードを取り出し、前記印刷手段に前記特定されたカード発行機関に対応する画像データを当該無地カードの表面に印刷させ、前記記録手段に前記カード記録データを当該無地カードの記録部に記録させ、印刷および記録がされた当該無地カードを発行する発行手段と、を備えたことを特徴とするカード発行機。
【請求項４】
請求項３に記載のカード発行機において、
前記送受信手段は、発行カード種別を更に受信し、前記印刷手段は前記特定されたカード発行機関の前記発行カード種別に対応する画像データを前記無地カードの表面に印刷することを特徴とするカード発行機。
【請求項５】
請求項３に記載のカード発行機において、
前記送受信手段は、発行可能カード種別を更に受信し、前記発行可能カード種別の内から発行カード種別を選択する選択手段を更に備え、前記印刷手段は前記特定されたカード発行機関の前記選択された発行カード種別に対応する画像データを前記無地カードの表面に印刷することを特徴とするカード発行機。
【請求項６】
請求項１ないし請求項５のいずれかに記載のカード発行機において、
前記画像データは、前記顧客識別情報に対して前記上位装置から受信したデータであることを特徴とするカード発行機。
【請求項７】
請求項６に記載のカード発行機において、
前記画像データは、前記顧客識別情報にかかる顧客を特定するデータを含むことを特徴とするカード発行機。
【請求項８】
請求項２または請求項５に記載のカード発行機において、
前記発行可能カード種別は、発行可能なカードの取引種別および発行可能なカードのデザイン種別の少なくとも１つであることを特徴とするカード発行機。
【請求項９】
複数のカード発行機関の各上位装置と、前記複数のカード発行機関のカードを発行する請求項３に記載のカード発行機と、前記各上位装置と前記カード発行機との間で送受信データを中継する中継装置と、を備えたカード発行システムであって、
前記各上位装置は、顧客識別情報、顧客識別情報ごとのカード発行可否情報およびカード記録データを蓄積するデータベースをそれぞれ備え、前記中継装置から前記カード発行機で入力された顧客識別情報を受信すると、前記データベースに蓄積された顧客識別情報および顧客識別情報ごとのカード発行可否情報に基づいて、カード発行可否の通知およびカード記録データを返信し、
前記中継装置は、前記カード発行機から顧客識別情報およびカード発行機関特定情報を受信すると、前記カード発行機関特定情報で特定されたカード発行機関の上位装置に前記顧客識別情報を送信し、当該上位装置からカード発行可否の通知およびカード記録データを受信すると、当該受信した内容を、前記顧客識別情報を送信したカード発行機に返信することを特徴とするカード発行システム。
【請求項１０】
複数のカード発行機関の各上位装置と前記複数のカード発行機関のカードを発行する請求項３に記載のカード発行機との間で送受信データを中継する中継装置であって、
前記カード発行機から顧客識別情報およびカード発行機関特定情報を受信すると、前記カード発行機関特定情報で特定されたカード発行機関の上位装置に前記顧客識別情報を送信し、
前記特定されたカード発行機関の上位装置から前記顧客識別情報に対するカード発行可否の通知およびカード記録データを受信すると、当該受信した内容を、前記顧客識別情報を送信したカード発行機に返信することを特徴とするカード発行システム用中継装置。
【請求項１１】
第１カード発行機関の第１上位装置と、第２カード発行機関の第２上位装置と、第１および第２カード発行機関のカードを発行する請求項３に記載のカード発行機と、を備えたカード発行システムであって、
前記各上位装置は、顧客識別情報、顧客識別情報ごとのカード発行可否情報およびカード記録データを蓄積するデータベースをそれぞれ備え、
前記第１上位装置は、前記カード発行機から顧客識別情報およびカード発行機関特定情報を受信し、前記カード発行機関特定情報で前記第１カード発行機関が特定されるときは、前記データベースに蓄積された顧客識別情報および顧客識別情報ごとのカード発行可否情報に基づいて、カード発行可否の通知およびカード記録データを返信し、前記カード発行機関特定情報で第２カード発行機関が特定されるときは、前記受信した顧客識別情報を前記第２上位装置に転送し、前記第２上位装置から返信されるカード発行可否の通知およびカード記録データを前記カード発行機に転送し、
前記第２上位装置は、前記第１上位装置から前記顧客識別情報を受信すると、前記データベースに蓄積された顧客識別情報および顧客識別情報ごとのカード発行可否情報に基づいて、カード発行可否の通知およびカード記録データを返信することを特徴とするカード発行システム。
【発明の詳細な説明】
【技術分野】
【０００１】
本発明は、顧客識別情報を用いて複数の種類のカードを発行することのできるカード発行機、カード発行システムおよびカード発行システム用中継装置に関するものである。
【背景技術】
【０００２】
近年、銀行、クレジット会社、消費者金融、百貨店などから多数のカードが発行されている。カードの発行を求める顧客は、銀行などの窓口で氏名などのカード発行の審査対象となる個人情報およびカードの種別を申込書に記入し、銀行などの窓口で申し込む。銀行などのカード発行機関は、審査に合格した顧客の当該種別のカードを発行し、顧客の住所宛に郵送している。このため、カードの発行に手間がかかるという問題、郵送に時間がかかり顧客がカードを直ぐに使用できないという問題、および郵送費用が嵩むという問題がある。
【０００３】
上記の問題を解決するための方法が後記の特許文献１〜３で提案されている。特許文献１には、以下のことが示されている。まず、顧客が氏名などの個人情報を申込書に記入し、窓口でカードの発行を申し込むと、受付番号が記録された受付証カードが顧客に渡されると共に暗証番号が通知される。これらの受付番号、暗証番号および個人情報は、カード発行機の上位端末に登録される。その後、顧客が受付証カードをカード発行機に投入して暗証番号を入力すると、受付番号および暗証番号が上位装置に送信される。上位装置は、受信したデータと登録されているデータとを照合し、両者が一致していればカード発行機にカードを発行するように指示する。
【０００４】
特許文献２には、以下のことが示されている。顧客は、パソコンから審査対象となる個人情報をサーバに送信することによって消費者金融カードの発行を申し込む。サーバは、審査結果、カード発行時に使用するＩＤおよびパスワードをパソコンに送信する。審査に合格している場合、顧客がコンビニエンスストアなどに設置されているカード発行機からＩＤおよびパスワードを入力すると、ＩＤおよびパスワードがサーバに送信される。サーバは、受信したデータと登録されているデータを照合し、両者が一致していればカード発行機にカードを発行するように指示する。
【０００５】
特許文献３には、以下のことが示されている。無人契約システムのカードを発行する顧客端末は、キャッシュカードを発行するカード発行部とデパートカードを発行するカード発行部とを備える。まず、顧客が顧客端末から個人情報をセンター端末に送信する。センター端末のオペレータは、個人情報を審査し、合格であれば顧客端末にカード発行を許可する。顧客端末は、顧客が選択したいずれか一方または両方のカードを発行する。
【０００６】
【特許文献１】特開２０００−２７６６３５号公報（段落００４８〜００７４）
【特許文献２】特開２００２−２０７８７４号公報（段落００１６〜００３０）
【特許文献３】特開平１０−２５５１１７号公報（段落００２１〜００３２）
【発明の開示】
【発明が解決しようとする課題】
【０００７】
しかしながら、特許文献１および特許文献２に示されるものは、カード発行の手間の問題および郵送に関する問題を解決するが、カード発行機は１種類のカードを発行するだけである。このため、複数の種類のカードを発行するカード発行機関では使用できないという問題がある。また、複数のカード発行機関のカードを発行できないという問題もある。それに対し、特許文献３に示される顧客端末は、カードの種類ごとにカード発行部を設け、複数の種類のカードを発行できるようにしている。しかし、カードの種類に応じて、それぞれのデザインのカードを発行しようとすると、カードの種類と同数のカード発行部が必要となる。このため、カードの種類が多くなると、顧客端末のサイズが大きくなるという問題、コストが高くなるという問題がある。また、カード発行の審査をするためのセンター端末が１つだけであるので、カード発行機関ごとの審査に従ってカードを発行することができないという問題もある。
【０００８】
本発明は、上記問題点を解決するものであって、その課題とするところは、装置のサイズおよびコストを増大させることなく、複数の種類を発行できるカード発行機、ひいては複数のカード発行機関のカードを発行できるカード発行機、カード発行システムおよびカード発行システム用中継装置を提供することにある。
【課題を解決するための手段】
【０００９】
第１の発明のカード発行機は、顧客識別情報を入力する入力手段と、カード発行機関の上位装置に対して、入力された顧客識別情報を送信すると共に、顧客識別情報に対するカード発行可否の通知、発行カード種別およびカード記録データを受信する送受信手段と、無地カードを保管するカード保管部と、無地カードの表面に画像を印刷する印刷手段と、無地カードの記録部にデータを記録する記録手段と、送受信手段が上位装置からカード発行許可を示す通知を受信した場合には、カード保管部から無地カードを取り出し、印刷手段に発行カード種別に対応する画像データを当該無地カードの表面に印刷させ、記録手段にカード記録データを当該無地カードの記録部に記録させ、印刷および記録がされた当該無地カードを発行する発行手段と、を備える。
【００１０】
このように、発行カード種別に対応する画像データを無地カードの表面に印刷することによって、発行カード種別に応じたデザインのカードを発行することができる。これにより、予め固有のデザインで印刷されたカードを発行カードの種別ごとに保管しておく必要がなくなり、装置のサイズおよびコストを増大させることなく、多数の種別のカードを発行することができる。
【００１１】
第２の発明のカード発行機は、顧客識別情報を入力する入力手段と、カード発行機関の上位装置に対して、入力された顧客識別情報を送信すると共に、顧客識別情報に対するカード発行可否の通知、発行可能カード種別およびカード記録データを受信する送受信手段と、無地カードを保管するカード保管部と、無地カードの表面に画像を印刷する印刷手段と、無地カードの記録部にデータを記録する記録手段と、発行可能カード種別の内から発行カード種別を選択する選択手段と、送受信手段が上位装置からカード発行許可を示す通知を受信した場合には、カード保管部から無地カードを取り出し、印刷手段に選択された発行カード種別に対応する画像データを当該無地カードの表面に印刷させ、記録手段にカード記録データを当該無地カードの記録部に記録させ、印刷および記録がされた当該無地カードを発行する発行手段と、を備える。
【００１２】
このように、発行可能カード種別の内から選択された発行カード種別に対応する画像データを無地カードの表面に印刷することによって、発行カード種別に応じたデザインのカードを発行することができる。これにより、予め固有のデザインで印刷されたカードを発行カードの種別ごとに保管しておく必要がなくなり、装置のサイズおよびコストを増大させることなく、多数の種別のカードを発行することができる。また、発行カード種別は発行可能カード種別の内から選択されるので、顧客の発行申し込みまたはデザインの好みに基づいて、カードが発行される。
【００１３】
第３の発明のカード発行機は、顧客識別情報およびカード発行機関特定情報を入力する入力手段と、カード発行機関特定情報で特定されたカード発行機関の上位装置に対して、入力された顧客識別情報を送信すると共に、顧客識別情報に対するカード発行可否の通知およびカード記録データを受信する送受信手段と、無地カードを保管するカード保管部と、無地カードの表面に画像を印刷する印刷手段と、無地カードの記録部にデータを記録する記録手段と、送受信手段が上位装置からカード発行許可を示す通知を受信した場合には、カード保管部から無地カードを取り出し、印刷手段に特定されたカード発行機関に対応する画像データを当該無地カードの表面に印刷させ、記録手段にカード記録データを当該無地カードの記録部に記録させ、印刷および記録がされた当該無地カードを発行する発行手段と、を備える。
【００１４】
このように、特定されたカード発行機関に対応する画像データを無地カードの表面に印刷することによって、カード発行機関に応じたデザインのカードを発行することができる。これにより、予め固有のデザインで印刷されたカードをカード発行機関ごとに保管しておく必要がなくなり、装置のサイズおよびコストを増大させることなく、多数のカード発行機関のカードを発行することができる。
【００１５】
第３の発明の実施形態においては、送受信手段は、発行カード種別を更に受信し、印刷手段は特定されたカード発行機関の発行カード種別に対応する画像データを無地カードの表面に印刷する。このようにすることで、装置のサイズおよびコストを増大させることなく、特定されたカード発行機関の発行カード種別に応じたデザインのカードを発行することができる。
【００１６】
また、第３の発明の実施形態においては、送受信手段は、発行可能カード種別を更に受信し、発行可能カード種別の内から発行カード種別を選択する選択手段を更に備え、印刷手段は特定されたカード発行機関の選択された発行カード種別に対応する画像データを無地カードの表面に印刷する。このようにすることで、装置のサイズおよびコストを増大させることなく、特定されたカード発行機関の発行可能カード種別の内から選択された発行カード種別に応じたデザインのカードを発行することができる。また、発行カード種別は発行可能カード種別の内から選択されるので、顧客の発行申し込みまたはデザインの好みに基づいて、カードが発行される。
【００１７】
第１〜第３の発明の実施形態においては、画像データは、顧客識別情報に対して上位装置から受信したデータである。このようにすることで、例えば、カードのデザインなどが更新された場合、新たに開発された取引種別のカードが発行される場合などにおいても、上位装置に格納されている最新の画像データを使用して印刷されたカードが発行される。
【００１８】
ここで、画像データが顧客識別情報にかかる顧客を特定するデータ（氏名、口座番号など）を含むようにすることができる。このようにすることで、氏名、口座番号などが無地カードに印刷される。これにより、エンボッサが不要となり、装置の小型化、コストダウンが実現される。また、氏名、口座番号などが画像データ中に含まれるので、それらの印刷位置をカードの種別に応じて調整しなくても、所望の位置に氏名などが印刷される。
【００１９】
第２または第３の発明の実施形態においては、発行可能カード種別は、発行可能なカードの取引種別および発行可能なカードのデザイン種別の少なくとも１つである。このようにすることで、取引種別またはデザイン種別に応じたデザインのカード、つまり顧客の発行申し込みまたはデザインの好みに基づくカードが発行される。
【００２０】
第４の発明のカードシステムは、複数のカード発行機関の各上位装置と、複数のカード発行機関のカードを発行する第３の発明にかかるカード発行機と、各上位装置とカード発行機との間で送受信データを中継する中継装置と、を備えたカード発行システムであって、各上位装置は、顧客識別情報、顧客識別情報ごとのカード発行可否情報およびカード記録データを蓄積するデータベースをそれぞれ備え、中継装置からカード発行機で入力された顧客識別情報を受信すると、データベースに蓄積された顧客識別情報および顧客識別情報ごとのカード発行可否情報に基づいて、カード発行可否の通知およびカード記録データを返信する。中継装置は、カード発行機から顧客識別情報およびカード発行機関特定情報を受信すると、カード発行機関特定情報で特定されたカード発行機関の上位装置に顧客識別情報を送信し、当該上位装置からカード発行可否の通知およびカード記録データを受信すると、当該受信した内容を、顧客識別情報を送信したカード発行機に返信する。
【００２１】
このようにすることで、特定されたカード発行機関に対応する画像データが無地カードの表面に印刷され、予め固有のデザインで印刷されたカードをカード発行機関ごとに用意しておかなくても、カード発行機関に応じたデザインのカードが発行される。また、カード発行機から見た複数の上位装置の通信仕様の差が中継装置によって吸収されるので、カード発行機の構成の簡略化が図られる。
【００２２】
第５の発明のカードシステム用中継装置は、複数のカード発行機関の各上位装置と複数のカード発行機関のカードを発行する第３の発明にかかるカード発行機との間で送受信データを中継する中継装置であって、カード発行機から顧客識別情報およびカード発行機関特定情報を受信すると、カード発行機関特定情報で特定されたカード発行機関の上位装置に顧客識別情報を送信する。さらに、特定されたカード発行機関の上位装置から顧客識別情報に対するカード発行可否の通知およびカード記録データを受信すると、当該受信した内容を、顧客識別情報を送信したカード発行機に返信する。
【００２３】
このような中継装置を使用することで、特定されたカード発行機関に対応する画像データが無地カードの表面に印刷され、予め固有のデザインで印刷されたカードをカード発行機関ごとに用意しておかなくても、カード発行機関に応じたデザインのカードが発行される。また、中継装置は、カード発行機から見た複数の上位装置の通信仕様の差を吸収するので、カード発行機の構成の簡略化が図られる。さらに、上位装置の通信仕様が変更された場合には、中継装置のプログラムなどを変更することによって、中継装置よりも数の多いカード発行機のメンテナンス（プログラムの変更など）の実施が回避される。
【００２４】
第６の発明のカードシステムは、第１カード発行機関の第１上位装置と、第２カード発行機関の第２上位装置と、第１および第２カード発行機関のカードを発行する第３の発明にかかるカード発行機と、を備えたカード発行システムであって、各上位装置は、顧客識別情報、顧客識別情報ごとのカード発行可否情報およびカード記録データを蓄積するデータベースをそれぞれ備える。第１上位装置は、カード発行機から顧客識別情報およびカード発行機関特定情報を受信し、カード発行機関特定情報で第１カード発行機関が特定されるときは、データベースに蓄積された顧客識別情報および顧客識別情報ごとのカード発行可否情報に基づいて、カード発行可否の通知およびカード記録データを返信し、カード発行機関特定情報で第２カード発行機関が特定されるときは、受信した顧客識別情報を第２上位装置に転送し、第２上位装置から返信されるカード発行可否の通知およびカード記録データをカード発行機に転送する。第２上位装置は、第１上位装置から顧客識別情報を受信すると、データベースに蓄積された顧客識別情報および顧客識別情報ごとのカード発行可否情報に基づいて、カード発行可否の通知およびカード記録データを返信する。
【００２５】
このようにすることで、特定されたカード発行機関に対応する画像データが無地カードの表面に印刷され、予め固有のデザインで印刷されたカードをカード発行機関ごとに用意しておかなくても、カード発行機関に応じたデザインのカードが発行される。また、第１上位装置がカード発行機と第２上位装置とを中継するので、専用の中継装置を設けなくても、カード発行機から複数のカード発行機関のカードを発行することができる。
【発明の効果】
【００２６】
本発明によれば、装置のサイズおよびコストを増大させることなく、複数の種類をカードを発行することができる。
【発明を実施するための最良の形態】
【００２７】
図１〜図１０を参照して本発明の第１の実施形態を説明する。図１は、カード発行システムの構成を示す図である。本発明にかかるカード発行機３は、図１０に示すように、無地カード１の表面に背景、模様、口座番号などからなる画像を印刷することによって複数のデザインのカードを作成し、磁気ストライプ１Ａに口座番号などを記録し、カードを発行するものである。
【００２８】
以下、カード発行システムの構成および動作の概要について説明する。カードの発行を求める者（以下、「顧客」という）は、カード発行の審査に必要な氏名、勤務先などの個人情報、パスワード、取引種別（普通口座カード、ローンカードなど）などを記入した申し込み用紙をカード発行機関である銀行５の支店の窓口担当者に渡す。窓口担当者が個人情報などのデータを窓口装置８に入力すると、これらのデータは同じ銀行５のホスト６に送信される。ホスト６は、受信データをホスト６のデータベース７に登録すると共に、顧客ＩＤを窓口装置８に送信する。窓口装置８は、パスワード以外のデータ、つまり顧客ＩＤ、口座番号、取引種別、カード発行可能日時などが印刷された受付記録票を発行する。この受付記録票は顧客に渡される。顧客ＩＤは、銀行５ごとに固有な番号であり、顧客を特定する顧客識別情報である。
【００２９】
カード発行可能日時以降に、顧客が顧客ＩＤ、パスワードなどをカード発行機３に入力すると、これらのデータは中継装置４を介してホスト６に送信される。ホスト６は、受信データとデータベース７に登録されているデータとの照合などによって、カード発行の可否を判断し、発行可と判断したときはカードの発行に必要なデータをカード発行機３に送信する。カード発行機３は、受信データに基づいてカードを発行する。カードの発行の詳細については後述する。このカード発行機３は、銀行５の外部（例えば、コンビニエンスストアなど）に設けられているので、顧客は銀行５の閉店時間帯であってもカードを受取ることができる。
【００３０】
中継装置４は、銀行５の外部（例えば、カード運用センター）に設置されており、カード発行機３と銀行５Ａ，５Ｂのホスト６Ａ，６Ｂとの間のデータの送受信を中継する。例えば、中継装置４は、カード発行機３からデータを受信した場合には、受信データから送信先がホスト６Ａ，６Ｂのいずれであるか判断し、該当するホスト６Ａまたは６Ｂに当該受信データを送信する。また、ホスト６Ａまたは６Ｂからデータを受信した場合には、該当するカード発行機３に当該受信データを送信する。さらに、ホスト６Ａとホスト６Ｂとの間で通信仕様（物理レベル仕様、アプリケーションレベル仕様など）が異なる場合には、中継装置４が通信仕様を変換するので、カード発行機３は、類似または同じ通信仕様でホスト６Ａおよび６Ｂに対してデータを送受信できる。さらに、ホスト６Ａまたは６Ｂの通信仕様が変更された場合などには、中継装置４のプログラムを変更することにより、中継装置４よりも数の多いカード発行機３のメンテナンス（プログラムの変更など）の実施が回避される。
【００３１】
また、カード発行機３、中継装置４、窓口装置８Ａ，８Ｂ、およびホスト６Ａ，６Ｂは、それぞれ互いに専用回線で接続されているが、公衆回線（インターネットなど）を介して互いに接続するようにしてもよい。図１では、中継装置４は２つの銀行５Ａ，５Ｂのホスト６Ａ，６Ｂに接続されているが、１つまたは３つ以上の銀行５のホスト６に接続されている場合であっても本発明を実施できる。
図２はカード発行機３の外観を示す斜視図である。３２はカード１が発行されるカード発行口であり、３８は操作部である。この操作部３８から上述の顧客ＩＤなどが入力される。また、操作部３８には、カード発行の操作時に各種のメッセージも表示される。カード発行機３の詳細については後述する。
【００３２】
図３は、各ホスト６のデータベース７に顧客ごとに格納されているカード発行用データを示す図である。パスワード、支店番号、口座番号、取引種別および個人情報は、窓口装置８から受信したデータが登録されたものである。これらの口座番号、個人情報などからカード１に記録されるカード記録情報が生成される。つまり、データベース７はカード記録情報を蓄積している。顧客ＩＤは、パスワードなどを窓口装置８から受信するたびにホスト６によって生成される顧客を特定する番号である。カード発行可否は、審査待ち、審査の合否などを示す情報である。初期状態、つまり、顧客ＩＤが生成された時点では「審査待ち」であり、審査に合格すると「審査ＯＫ」となり、審査に不合格になると「審査ＮＧ」となる。このカード発行可否が「審査ＯＫ」となっている場合にのみ、カード１がカード発行機３から発行される。
【００３３】
図４は、各ホスト６のデータベース７に格納されている画像データを示す図である。図４（ａ）は第１の方式を示し、図４（ｂ）は第２の方式を示す。図４（ａ）では、取引種別ごとに画像データを持っている。取引種別ごとの画像データは、顧客が好みのデザインのカード１を選択できるように、２つのタイプの画像データからなる。各タイプの画像データは、無地カード１の表側に印刷される表側画像データと、裏側に印刷される裏側画像データとからなる。表側画像データは、一般的にはカード発行機関に固有の模様、カード発行機関の名称などからなる。そして、無地カードに印刷されるときには、表側画像データに画像化されたカード所持者の氏名、口座番号などの顧客固有のデータが合成されて印刷される。
【００３４】
また、裏面画像データは、一般的には小さな図形、画像化された注意書きなどの文字情報などからなる。カード１の裏側には、磁気ストライプ１Ａ（接触型ＩＣカードの場合はＩＣの接点）、署名欄などがあるが、磁気ストライプ１Ａを覆い隠すように裏側の全面に画像を印刷する場合と、磁気ストライプ１Ａを除く部分だけに画像を印刷する場合とがある。後者の場合には、裏面画像データは座標情報を含み、当該座標情報で指定された領域にのみ裏面画像データの画像が印刷される。
【００３５】
図４（ｂ）では、取引種別ごとに画像データを持っている。取引種別ごとの画像データは、無地カードの表側の表面に印刷される表側画像データと、裏側の表面に印刷される裏側画像データとからなる。以下では、図４（ａ）の画像データが使用されるものとして説明する。
【００３６】
図５はカード発行機３の概略機構を示す図であり、図６はカード発行機３の電気的構成を示す図である。これらの図を参照してカード発行機３について説明する。カード発行機３の筐体３１の内部には、カード供給台３７が設けられており、その上に複数枚の無地カード１が保管されている。カード供給台３７は、不図示の機構を介してカード供給台昇降用モータ４０に連結されており、その回転によって昇降する。カード供給台３７が上昇して、カード検出センサ３６（例えば、リミットスイッチ）が無地カード１を検出すると、制御部４１はカード搬送用モータ３９を起動する。これにより、ローラ３３が回転し、その回転によって無地カード１はＦ方向に搬送される。
【００３７】
そして、無地カード１がプリンタ３５のカード通路３５Ｃを移動する際に、印刷ヘッド３５Ａ、３５Ｂは、それぞれ無地カード１の表側および裏側に制御部４１から送られてくる画像データの画像を印刷する。このプリンタ３５として、例えば公知のカラーイメージプリンタが使用される。印刷された無地カード１はローラ３３の回転によって更にＦ方向に進む。そして、当該カード１が磁気ヘッド３４上を移動するときに、磁気ヘッド３４は制御部４１から送られてくるカード記録データを磁気ストライプ１Ａに記録する。その後、カード発行口３２から当該カード１が発行される。また、無地カード１が搬送される経路には無地カード１の位置を検出する多数の不図示のセンサが設けられている。制御部４１は、このセンサの検出信号に基づいて、カード搬送用モータ３９を起動・停止することによってローラ３３を回転・停止させる。
【００３８】
図６に示される制御部４１は、ＣＰＵ，メモリー、および磁気ヘッド３４の書き込み信号の信号処理回路などから構成される。メモリーは、ＣＰＵのプログラムおよび各種制御データを記憶すると共に、ＣＰＵの演算作業領域として使用される。そして、ＣＰＵが当該プログラムを実行することにより、カード発行機３の各部が制御され、無地カード１の印刷などが行われる。また、制御部４１は、通信部４２を介して上位装置であるホスト６から上述の画像データおよびカード記録データを受信し、これらのデータを一時的にメモリーに保存する。操作部３８は、タッチパネル付きの表示器であり、顧客が入力した顧客ＩＤなどのデータを受付けると共に、顧客に対する各種のメッセージを表示する。操作部３８から入力された顧客ＩＤなどのデータは、制御部４１および通信部４２を介してホスト６に送信される。尚、本発明のカード発行手段は、制御部４１、カード搬送用モータ３９などによって実現されている。
【００３９】
次に、カード発行機３からカードを発行するための操作および動作について説明する。初期状態では、カード発行機３の操作部３８には、図７（ａ）に示す銀行選択画面８１が表示されている。銀行名が選択され、確認キー８１Ａが押されると、制御部４１は選択された銀行名を制御部４１のメモリーに保存し、操作部３８に図７（ｂ）に示す顧客ＩＤ入力画面８２を表示する。顧客ＩＤが入力され、確認キー８２Ａが押されると、制御部４１は入力された顧客ＩＤをメモリーに保存し、操作部３８に図７（ｃ）に示すパスワード入力画面８３を表示する。パスワードが入力され、確認キー８３Ａが押されると、制御部４１は入力されたパスワードをメモリーに保存する。さらに、制御部４１は図７（ｂ）と同様な画面を操作部３８に表示し、入力された支店番号および口座番号をメモリーに保存する。
【００４０】
顧客による上記の操作が完了すると、顧客ＩＤなどの入力されたデータがカード発行機３からホスト６に送信され、カード発行のための動作が開始される。図８はカード発行機３とホスト６との間で送受信されるデータを示す図であり、この図を参照して、カード発行のための動作を説明する。尚、本実施形態では、カード発行機３とホスト６との間には中継装置４が設けられているが（図１参照）、中継装置４の図示は省略されている。また、カード発行機３またはホスト６のいずれが送信する場合も、図の左側のデータ（銀行名）から送信される。
【００４１】
まず、カード発行機３は、図８（ａ）に示すカード発行要求６１を送信する。送信される顧客ＩＤなどは、上述のように制御部４１のメモリーに保存されているデータである。ここで、顧客ＩＤは銀行５ごとに固有な番号であるので、カードを発行するための必須データは銀行名と顧客ＩＤである。中継装置４は、この銀行名で特定された銀行５のホスト６にカード発行要求６１を転送する。尚、カード発行機３が１つの銀行５のホスト６だけに接続されるカード発行システムにおいては、顧客ＩＤのみが必須データとなる。また、パスワードは安全性を高めるために送信される。支店番号および口座番号は、安全性を高めるため、および操作部３８での誤入力を検出するために送信される。さらに、カード発行要求６１のコマンド名、カード発行機３の装置番号なども送信されるが、本発明の直接的事項ではないので省略されている。
【００４２】
ホスト６は、カード発行要求６１を受信すると、受信データに対して以下のチェックを順番に行う。第１に、受信した顧客ＩＤがデータベース７（図３参照）に登録されているか否か。第２に、受信したパスワードがデータベース７中の当該顧客ＩＤのパスワードと一致するか否か。第３に、受信した支店番号がデータベース７中の当該顧客ＩＤの支店番号と一致するか否か。第４に、受信した口座番号がデータベース７中の当該顧客ＩＤの口座番号と一致するか否か。
【００４３】
上記のチェックの結果、顧客ＩＤなどの受信データに間違いがある場合には、ホスト６は図８（ｅ）に示すカード発行拒否応答６５を送信する。このカード発行拒否応答６５中の拒否理由は、「パスワードＮＧ」などの間違いの種類を示すデータである。カード発行機３は、カード発行拒否応答６５を受信すると、拒否理由に応じたメッセージを操作部３８に表示する。図９（ａ）は、拒否理由が「パスワードＮＧ」であるときに操作部３８に表示される画面８４を示す。そして、確認キー８４Ａが押されると、図７（ａ）に示す銀行選択画面８１が表示される。
【００４４】
それに対し、顧客ＩＤなどの受信データに間違いがない場合には、ホスト６は当該顧客ＩＤのカード発行可否（図３参照）の内容を調べる。カード発行可否の内容が「審査待ち」または「審査ＮＧ」である場合には、ホスト６は、拒否理由を「審査待ち」または「審査ＮＧ」とするカード発行拒否応答６５を送信する。このカード発行拒否応答６５を受信したカード発行機３は、図９（ａ）と同様な拒否理由に応じたメッセージを操作部３８に表示する。
【００４５】
カード発行可否の内容が「審査ＯＫ」である場合には、ホスト６は図８（ｂ）に示すカード発行応答６２を送信する。ここで、有効取引種別データは、顧客がカードの発行を申し込んだ際に指定した１または複数の取引種別のうち審査に合格した１または複数の取引種別のコードおよび当該取引種別の表示用文字列からなる。以下では、取引種別１（普通口座カード）および取引種別２（ローンカード）が有効取引種別であるとして説明する。また、有効取引種別画像データは、取引種別１のタイプ１，２の表側画像データ（図４参照）および取引種別２のタイプ１，２の表側画像データである。
【００４６】
カード発行機３は、カード発行応答６２を受信すると、上記の取引種別の表示用文字列に基づいて、図９（ｂ）に示す取引種別選択画面８５を操作部３８に表示する。顧客が取引種別（カード種別）を選択し、確認キー８５Ａを押すと、カード発行機３は、受信した表側画像データに基づいて、図９（ｃ）に示すデザイン選択画面８６を操作部３８に表示する。図９（ｂ）において普通口座カードが選択された場合には、図９（ｃ）の左側の画像８６Ｂは取引種別１のタイプ１の表側画像データの画像であり、右側の画像８６Ｃは取引種別１のタイプ２の表側画像データの画像である。この画像８６Ｂ，８６Ｃは、口座番号などの顧客を特定する画像を含まない点で後述の無地カードに印刷される画像と異なる。
【００４７】
顧客がデザイン選択画面８６で２つデザイン（画像８６Ｂ，８６Ｃ）のいずれかを選択し、確認キー８６Ａを押すと、カード発行機３は図８（ｃ）に示す取引種別選択通知６３を送信する。ここで、選択取引種別コードは、顧客によって選択された取引種別のコードであり、普通口座カードが選択された場合には「１」、ローンカードが選択された場合には「２」である。また、画像タイプ番号は、選択された画像のタイプを示す番号であり、画像８６Ｂが選択された場合には「１」、画像８６Ｃが選択された場合には「２」である。
【００４８】
取引種別選択通知６３を受信すると、ホスト６は以下のことを行う。まず、データベース７（図３参照）に登録されている口座番号などのデータから、無地カード１の磁気ストライプ１Ａに記録するカード記録データを作成する。次に、選択取引種別コードの画像タイプ番号で指定される表側画像データと、氏名、口座番号などの顧客に固有の情報を画像化したデータとを合成し、印刷用表側画像データを作成する。次に、該当する裏側画像データを印刷用裏側画像データとする。必要であれば、当該裏側画像データと、顧客に固有の情報を画像化したデータとを合成し、印刷用裏側画像データを作成する。そして、図８（ｄ）に示すように、上記のカード記録データ、印刷用表側画像データおよび印刷用裏側画像データを含むカード発行データ通知６４を送信する。
【００４９】
カード発行データ通知６４を受信すると、カード発行機３の制御部４１は、受信データを制御部４１のメモリーに一旦格納する。まず、制御部４１は、カード供給台昇降用モータ４０を回転させ、カード供給台３７を上昇させる。次に、制御部４１は、無地カード１の検出信号をカード検出センサ３６から受信すると、カード搬送用モータ３９を起動して、ローラ３３を回転させ、無地カード１をＦ方向に移動させ、カード通路３５Ｃを通過させる。このとき、メモリーに格納されている印刷用表側画像データおよび印刷用裏側画像データがプリンタ３５に送られ、印刷ヘッド３５Ａによって印刷用表側画像データの画像が無地カード１の表側の表面に印刷され、印刷ヘッド３５Ｂによって印刷用裏側画像データの画像が裏側の表面に印刷される。その後、磁気ヘッド３４によってカード記録データが当該カード１の磁気ストライプ１Ａに記録され、カード発行口３２からカード１が発行される。このようにして、カード発行の動作が終了する。
【００５０】
尚、図９（ｂ）に示す取引種別選択画面８５で選択されなかったカードは、顧客ＩＤ、パスワードなどが操作部３８から再度入力されることによって、同様にして発行される。これに代えて、取引種別選択画面８５で両方のカードを選択できるようにし、２枚のカードを連続して発行するようにしてもよい。
図１０は、上記のようにして印刷された無地カード１の表側（図１０（ａ））および裏側（図１０（ｂ））を示す図である。表側には、例えば、緑色の背景、銀色の模様、赤色の銀行名およびカード種別名からなるデザインに、氏名、口座番号などが黒く印刷されている。また、裏側には、黒色の簡単な図形と文字とが白色の背景上に印刷されている。
【００５１】
以上述べた実施形態においては、審査に合格した取引種別が２つであり、取引種別ごとの画像データのタイプの数が２つである場合について説明したが、審査に合格した取引種別が２つであり、取引種別ごとの画像データのタイプの数が１つ（図４（ｂ）参照）である場合には、カード発行機３は、図９（ｃ）に示すデザイン選択画面８６を表示することなく、取引種別選択通知６３を送信する。また、審査に合格した取引種別が１つ（例えば、顧客が１つの取引種別のカードの発行を申し込んだ場合）であり、取引種別ごとの画像データのタイプの数が２つである場合には、カード発行機３は、カード発行応答６２を受信すると、図９（ｂ）に示す取引種別選択画面８４を表示することなく、図９（ｃ）に示すデザイン選択画面８６を表示する。さらに、審査に合格した取引種別が１つであり、取引種別ごとの画像データのタイプの数が１つである場合には、ホスト６は、カード発行応答６２を送信することなく、最初からカード発行データ通知６４を送信する。
【００５２】
また、上記実施形態では、２つの銀行５Ａ，５Ｂの複数種別のカードを発行する場合について説明したが、本発明は、１つの銀行５の複数種別のカードを発行する場合、複数の銀行５ごとに１つの種別のカードを発行する場合、および複数の銀行５ごとに複数種別のカードを発行する場合についても実施できる。尚、上記の「種別」は、実施形態における銀行種別（銀行ごと）、取引種別、取引種別内のデザイン種別などを含むものである。
【００５３】
さらに、上記実施形態では、カード発行機３は、デザイン選択画面８６に表示させる画像データを、カード１を発行するたびにホスト６から受信していたが、予め当該画像データをホスト６からカード発行機３の制御部４１のメモリーまたはハードディスク（不図示）にダウンロードしておき、これを使用するようにしてもよい。
【００５４】
さらに、上記実施形態では、通常はエンボッサでエンボス加工される氏名、口座番号などの顧客に固有のデータを画像として印刷するようにしたが、これらをエンボス加工し、氏名、口座番号などを除く画像のみを印刷するようにしてもよい。また、氏名、口座番号などを文字コードとしてホスト６から受信し、印刷された画像の上に当該文字コードに基づく文字列を印刷するようにしてもよい。尚、本発明の特徴は、少なくともカードの一方の側（一般的には表側）の表面に画像データの画像を印刷することであり、必ずしも、他方の側に画像データの画像を印刷する必要はない。この場合、他方の側には、必要であれば、文字コードに基づいて文字列が印刷される。
【００５５】
図１１は、第２の実施形態のカード発行システムの構成を示す。第１の実施形態（図１）では、カード発行機３は銀行５Ａ，５Ｂの外部に設置されており、中継装置４を介してホスト６Ａ，６Ｂに接続されている。それに対し、本実施形態では、カード発行機３は銀行５Ａの支店内に設置されており、ホスト６Ａに直接接続されている。一方、銀行５Ｂのホスト６Ｂは、ホスト６Ａを介してカード発行機３に接続されている。銀行５Ａの支店に設置されている窓口装置８Ａからホスト６Ａに上述のパスワードなどが送信され、顧客ＩＤが返信される。また、銀行５Ｂの支店に設置されている窓口装置８Ｂからホスト６Ｂにパスワードなどが送信され、同様に顧客ＩＤが返信される。尚、銀行５Ａの支店内の２台のカード発行機３，３と２台の窓口装置８Ａ，８Ａとは、同じ支店に２台ずつ設置されていても、別々の支店に１台ずつ設置されていてもよい。
【００５６】
本実施形態では、ホスト６Ａは、カード発行要求６１（図８（ａ）参照）を受信すると、受信データ中の銀行名を調べる。銀行名が銀行５Ａであれば、第１の実施形態と同様にして、ホスト６Ａはカード発行応答６２をカード発行機３に送信する。それに対し、銀行名が銀行５Ｂであれば、ホスト６Ａはカード発行要求６１をホスト６Ｂに転送する。このカード発行要求６１を受信したホスト６Ｂは、カード発行応答６２をホスト６Ａに送信する。このカード発行応答６２を受信したホスト６Ａは、これをカード発行機３に転送する。以下同様にして、ホスト６Ａは、カード発行機３とホスト６Ｂとのデータの送受信を中継する。このような構成にすることで、図１のように中継装置４を設けなくても、カード発行機３から複数の銀行５Ａ，５Ｂのカードを発行することが可能となる。尚、図１１では、カード発行機３に接続されていないホスト６Ｂは１つであるが、２つ以上であってもよい。
【００５７】
図１２は、第３の実施形態のカード発行システムの構成を示す。第１の実施形態（図１）では、カード発行機３は中継装置４を介してホスト６Ａ，６Ｂに接続されている。それに対し、本実施形態では、カード発行機３は、専用回線または公衆回線（例えば、インターネット）などのネットワーク９を介してホスト６Ａおよび６Ｂに接続されている。つまり、実質的には直接ホスト６Ａおよび６Ｂに接続されている。このようにすることで、中継装置４を設けなくても、カード発行機３から複数の銀行５Ａ，５Ｂのカードを発行することが可能となる。尚、専用回線を用いて直接ホスト６Ａ，６Ｂに接続するようにしてもよいが、その場合には、接続されるホスト６の数と同数の通信部４２を備えたカード発行機３が使用される。
【００５８】
以上述べた第１〜第３の実施形態においては、金融機関である銀行５の取引に使用されるカード１が発行される場合について説明したが、カード発行機３から発行されるカードは銀行５のカードに限定されるものではなく、審査に合格した後に発行される他のカード（例えば、クレジットカード、会員カードなど）についても本発明を実施できる。また、上記第１〜第３実施形態では、無地カード１が磁気カードである場合について説明したが、接触型または非接触型のＩＣカードなどの他の記録方式のカードであってもよい。さらに、上記第１〜第３実施形態では、カード発行機３はカード発行専用の装置であったが、本発明と同様な構成、機能を備えるＡＴＭ（自動現金預け払い機）などであってもよい。
【図面の簡単な説明】
【００５９】
【図１】第１の実施形態のカード発行システムの構成を示す図である。
【図２】カード発行機の外観を示す斜視図である。
【図３】データベースに格納されているカード発行用データを示す図である。
【図４】データベースに格納されている無地カードに印刷される画像データを示す図である。
【図５】カード発行機の概略機構を示す図である。
【図６】カード発行機の電気的構成を示す図である。
【図７】カード発行機の操作部の入力画面を示す図である。
【図８】カード発行機とホストとの間で送受信されるデータを示す図である。
【図９】カード発行時に操作部に表示される画面を示す図である。
【図１０】画像データの画像が印刷されたカードを示す図である。
【図１１】第２の実施形態のカード発行システムの構成を示す図である。
【図１２】第３の実施形態のカード発行システムの構成を示す図である。
【符号の説明】
【００６０】
１    カード（無地カード）
１Ａ  磁気ストライプ（記録部）
３    カード発行機
４    中継装置
５，５Ａ，５Ｂ  銀行（カード発行機関）
６，６Ａ，６Ｂ  ホスト（上位装置）
７，７Ａ，７Ｂ  データベース
８，８Ａ，８Ｂ  窓口装置
３４  磁気ヘッド（記録手段）
３５  プリンタ（印刷手段）
３７  カード供給台（カード保管部）
３８  操作部（入力手段、選択手段）
【図１】
2005251049.tif 000003
【図２】
2005251049.tif 000004
【図３】
2005251049.tif 000005
【図４】
2005251049.tif 000006
【図５】
2005251049.tif 000007
【図６】
2005251049.tif 000008
【図７】
2005251049.tif 000009
【図８】
2005251049.tif 000010
【図９】
2005251049.tif 000011
【図１０】
2005251049.tif 000012
【図１１】
2005251049.tif 000013
【図１２】
2005251049.tif 000014